(57)【要約】【課題】  電子マネー決済システムを利用した遊技システムを低コストで提供可能であり、遊技場に設置される従来機器のサイズを変更しなくとも電子マネー決済システムを適用可能とする。【解決手段】  複数の遊技機［２（１）〜２（ｎ）］各々毎に１対１で対応付けて設置され遊技機で使用する遊技媒体（パチンコ玉）［Ｚ］の貸出処理を行う複数の台間処理機［１（１）〜１（ｎ）］各々毎に、電子マネーカード［Ｘ｝から情報を読取るアンテナユニット［１１］を設けるとともに、それら複数のアンテナユニット［１１］に対応する島コントローラ［５］に、それら複数のアンテナユニット［１２］で読取られた個々の情報に基づき台間処理機で行われる遊技媒体［Ｚ］の貸出しに伴う決済処理を実行管理する電子マネー処理部［５１］を設ける。【選択図】  図１
2005107734.tif 000002
【特許請求の範囲】
【請求項１】
遊技媒体を用いて遊技を行う複数の遊技機を有する遊技店内に設けられ、電子マネー価値を特定可能な電子マネー情報が記憶された電子マネー情報記憶媒体を用いた決済処理を行う電子マネー決済システムを利用した遊技システムにおいて、
前記電子マネー情報記憶媒体から該電子マネー情報を読取る複数の電子マネー情報読取手段と、
前記複数の電子マネー情報読取手段に対応する１つの上位装置に設けられ、前記複数の電子マネー情報読取手段でそれぞれ読取られた電子マネー情報に基づく処理を実行する電子マネー処理手段と
を具備することを特徴とする電子マネー決済システムを利用した遊技システム。
【請求項２】
前記電子マネー情報読取手段は、
前記複数の遊技機に対応して設けられた複数の遊技媒体貸出処理手段に対応して設けられ、
前記上位装置は、
前記複数の遊技機を所定台数単位で管理する管理手段
を有し、
前記電子マネー処理手段は、
前記管理手段が管理する遊技機の遊技媒体貸出処理手段による遊技媒体の貸出しに伴う処理を実行する
ことを特徴とする請求項１記載の電子マネー決済システムを利用した遊技システム。
【請求項３】
前記電子マネー情報記憶媒体に記憶された電子マネー情報を用いる商品の注文を受け付ける受付手段
を更に具備し、
前記電子マネー処理手段は、
前記受付手段により受け付けられた商品の注文に基づく商品の販売提供に伴う処理を前記電子マネー情報読取手段で読取られた電子マネー情報に基づき実行する
ことを特徴とする請求項１記載の電子マネー決済システムを利用した遊技システム。
【請求項４】
前記遊技媒体貸出処理手段は、
プリペイド情報記憶媒体に関連付けて記憶されるプリペイド価値情報に基づき前記遊技機で使用する前記遊技媒体の貸出処理を行うプリペイド処理手段
を具備し、
前記電子マネー情報読取手段で読み取られた電子マネー情報を用いた決済処理を行う際のデータと、前記プリペイド価値情報に基づく前記遊技媒体の貸出処理を行う際のデータとを同一の伝送路を用いて前記上位装置に伝送することを特徴とする請求項２記載の電子マネー決済処理システムを利用した遊技システム。
【請求項５】
前記遊技媒体貸出処理手段は、
前記プリペイド価値情報に関連つけて前記プリペイド情報記憶媒体に記憶されるプリペイド情報を読み取るプリペイド情報読取手段
を具備し、
前記電子マネー情報読取手段は、
前記プリペイド情報読取手段により共用されることを特徴とする請求項４記載の電子マネー決済処理システムを利用した遊技システム。
【請求項６】
遊技媒体を用いて遊技を行う複数の遊技機を有する遊技店内に設けられ、電子マネー価値を特定可能な電子マネー情報が記憶された電子マネー情報記憶媒体を用いた決済処理を行う電子マネー決済システムを利用した遊技システムにおいて、
前記電子マネー情報記憶媒体から電子マネー情報を読取る複数の電子マネー情報読取手段と、
前記複数の電子マネー情報読取手段に対応する１つの上位装置に設けられ、前記複数の電子マネー情報読取手段でそれぞれ読取られた電子マネー情報に基づく処理を実行する電子マネー処理手段と、
前記電子マネー処理手段で処理された情報に基づく決済処理を実行する決済処理制御手段と
を具備することを特徴とする電子マネー決済システムを利用した遊技システム。
【請求項７】
遊技媒体を用いて遊技を行う複数の遊技機を有する遊技店内に設けられ、電子マネー価値を特定可能な電子マネー情報が記憶された電子マネー情報記憶媒体を用いた決済処理を行う電子マネー決済システムを利用した遊技システムにおいて、
前記遊技機に対応して設けられ、プリペイド価値情報に関連つけて前記プリペイド情報記憶媒体に記憶されるプリペイド情報を読み取る複数のプリペイド情報読取手段と、
前記プリペイド情報読取手段で読み取られたプリペイド情報に基づき前記遊技機で使用する前記遊技媒体の貸出処理を行う複数のプリペイド処理手段と、
前記プリペイド情報読取手段に対応して設けられ、前記電子マネー情報記憶媒体から電子マネー情報を読取る複数の電子マネー情報読取手段と、
前記複数のプリペイド処理手段に対応する１つの上位装置に設けられ、前記複数の電子マネー情報読取手段でそれぞれ読取られた電子マネー情報に基づく処理を実行する電子マネー処理手段と、
前記上位装置を介して前記プリペイド処理手段による前記遊技媒体の貸出処理を管理するとともに、前記電子マネー処理手段で処理された情報に基づく決済処理を実行する決済処理手段と
を具備することを特徴とする電子マネー決済システムを利用した遊技システム。
【発明の詳細な説明】
【技術分野】
【０００１】
本発明は、電子マネー決済システムを利用した遊技システムに関し、特に、電子マネー決済システムを利用した遊技システムを低コストで提供できるようにすると共に、遊技場に設置される従来機器のサイズを変更しなくとも電子マネー決済システムを適用できるようにした電子マネー決済システムを利用した遊技システムに関するものである。
【背景技術】
【０００２】
近年、「ビットワレット（登録商標）（株）」（以下、「電子マネー管理会社」という。）が運営するプリペイド型電子マネーサービスとして「Ｅｄｙ（登録商標）」が知られている。
【０００３】
この「Ｅｄｙ（登録商標）」では、電子マネーを非接触ＩＣカード「Ｅｄｙカード（登録商標）」（以下、「電子マネーカード」という。）に入金し、商品購入時の決済に利用することでチャージされた電子マネーが電子マネーカードから差し引かれて、支払いが可能となる。
【０００４】
そして、最近では、そのような電子マネーカードを用いた電子マネー決済システムを利用した自動販売機システムが提供されている。
【０００５】
この自動販売機システムにおいては、自動販売機は、利用者の電子マネーカードを受け付けると、カードリーダ（Ｒ）／ライタ（Ｗ）コントローラの制御のもと、カード情報読取／書込部で読み取ったカード情報に対しＥｄｙ（登録商標）モジュール（以下、「電子マネー処理部」という。）で暗号解読処理を行い、解読後のデータに基づき残高情報を表示し、利用者によりジュース等の商品選択ボタンが押下されると、電子マネー処理部でその商品を提供する際の対価を残高情報から減算処理し、その減算後の値となるようにカード情報読取／書込部が現在受け付けている電子マネーカードの残高情報を減算書き込みを行う。そして、その減算書込みが完了すると、該当するジュース等の商品を排出し、電子マネーカードを利用者に返却する。
【０００６】
また、自動販売機では、電子マネー処理部が電子マネーカードに割り当てられている固有のモジュール番号と共に、売上情報を電子マネー管理会社に送信する。
【特許文献１】特開２０００−５４２７号公報
【発明の開示】
【発明が解決しようとする課題】
【０００７】
ところで、上述のような電子マネー決済システムを数多くの遊技機を密集して設置するようなパチンコ店やパチスロ店等の遊技場の遊技システム（上記特許文献１参照）に組み込もうとすると、以下のような不都合がある。
【０００８】
（１）電子マネー処理部は、決済を行う端末（即ち、カード情報読取／書込部が具わる端末）に必ず１機必要であり、そのまま従来の遊技システムに組み込むと、設置台数が非常に多い遊技ユニット（台間処理機と遊技機のペア）毎に１機の電子マネー処理部が必要となってしまい、遊技ユニット１つ当たりのコスト増の要因になってしまう。
【０００９】
（２）遊技ユニットに電子マネー処理部を搭載するため、既存より本体幅が増加してしまう可能性があり、幅制限があるホール島に設置できない可能性がある。
【００１０】
（３）ＣＲ遊技ユニットに組み込むと、プリペイドカード処理部（ＣＲブラック・ボックスモジュールともいう）で処理されるデータの転送用と電子マネー決済処理部で処理されるデータの転送用の通信回線が個別に必要になるため、設備投資におけるコスト高の要因になってしまう。
【００１１】
そこで、本発明は、電子マネー決済システムを利用した遊技システムを低コストで提供可能であり、遊技場に設置される従来機器のサイズを変更しなくとも電子マネー決済システムを適用可能な電子マネー決済システムを利用した遊技システムを提供することを目的とする。
【課題を解決するための手段】
【００１２】
上記目的を達成するため、請求項１の発明は、遊技媒体を用いて遊技を行う複数の遊技機を有する遊技店内に設けられ、電子マネー価値を特定可能な電子マネー情報が記憶された電子マネー情報記憶媒体を用いた決済処理を行う電子マネー決済システムを利用した遊技システムにおいて、前記電子マネー情報記憶媒体から該電子マネー情報を読取る複数の電子マネー情報読取手段と、前記複数の電子マネー情報読取手段に対応する１つの上位装置に設けられ、前記複数の電子マネー情報読取手段でそれぞれ読取られた電子マネー情報に基づく処理を実行する電子マネー処理手段とを具備することを特徴とする。
【００１３】
また、請求項２の発明は、請求項１の発明において、前記電子マネー情報読取手段は、前記複数の遊技機に対応して設けられた複数の遊技媒体貸出処理手段に対応して設けられ、前記上位装置は、前記複数の遊技機を所定台数単位で管理する管理手段を有し、前記電子マネー処理手段は、前記管理手段が管理する遊技機の遊技媒体貸出処理手段による遊技媒体の貸出しに伴う処理を実行することを特徴とする。
【００１４】
また、請求項３の発明は、請求項１の発明において、前記電子マネー情報記憶媒体に記憶された電子マネー情報を用いる商品の注文を受け付ける受付手段を更に具備し、前記電子マネー処理手段は、前記受付手段により受け付けられた商品の注文に基づく商品の販売提供に伴う処理を前記電子マネー情報読取手段で読取られた電子マネー情報に基づき実行することを特徴とする。
【００１５】
また、請求項４の発明は、請求項２の発明において、前記遊技媒体貸出処理手段は、プリペイド情報記憶媒体に関連付けて記憶されるプリペイド価値情報に基づき前記遊技機で使用する前記遊技媒体の貸出処理を行うプリペイド処理手段を具備し、前記電子マネー情報読取手段で読み取られた電子マネー情報を用いた決済処理を行う際のデータと、前記プリペイド価値情報に基づく前記遊技媒体の貸出処理を行う際のデータとを同一の伝送路を用いて前記上位装置に伝送することを特徴とする。
【００１６】
また、請求項５の発明は、請求項４の発明において、前記遊技媒体貸出処理手段は、前記プリペイド価値情報に関連つけて前記プリペイド情報記憶媒体に記憶されるプリペイド情報を読み取るプリペイド情報読取手段を具備し、前記電子マネー情報読取手段は、前記プリペイド情報読取手段により共用されることを特徴とする。
【００１７】
また、請求項６の発明は、遊技媒体を用いて遊技を行う複数の遊技機を有する遊技店内に設けられ、電子マネー価値を特定可能な電子マネー情報が記憶された電子マネー情報記憶媒体を用いた決済処理を行う電子マネー決済システムを利用した遊技システムにおいて、前記電子マネー情報記憶媒体から電子マネー情報を読取る複数の電子マネー情報読取手段と、前記複数の電子マネー情報読取手段に対応する１つの上位装置に設けられ、前記複数の電子マネー情報読取手段でそれぞれ読取られた電子マネー情報に基づく処理を実行する電子マネー処理手段と、前記電子マネー処理手段で処理された情報に基づく決済処理を実行する決済処理制御手段とを具備することを特徴とする。
【００１８】
また、請求項７の発明は、遊技媒体を用いて遊技を行う複数の遊技機を有する遊技店内に設けられ、電子マネー価値を特定可能な電子マネー情報が記憶された電子マネー情報記憶媒体を用いた決済処理を行う電子マネー決済システムを利用した遊技システムにおいて、前記遊技機に対応して設けられ、プリペイド価値情報に関連つけて前記プリペイド情報記憶媒体に記憶されるプリペイド情報を読み取る複数のプリペイド情報読取手段と、前記プリペイド情報読取手段で読み取られたプリペイド情報に基づき前記遊技機で使用する前記遊技媒体の貸出処理を行う複数のプリペイド処理手段と、前記プリペイド情報読取手段に対応して設けられ、前記電子マネー情報記憶媒体から電子マネー情報を読取る複数の電子マネー情報読取手段と、前記複数のプリペイド処理手段に対応する１つの上位装置に設けられ、前記複数の電子マネー情報読取手段でそれぞれ読取られた電子マネー情報に基づく処理を実行する電子マネー処理手段と、前記上位装置を介して前記プリペイド処理手段による前記遊技媒体の貸出処理を管理するとともに、前記電子マネー処理手段で処理された情報に基づく決済処理を実行する決済処理手段とを具備することを特徴とする。
【発明の効果】
【００１９】
本発明によれば、従来、電子マネー情報記憶媒体（例えば、電子マネーカード等）から情報を読取る情報読取手段（例えば、カードリーダ等）が具わる処理機器（例えば、台間処理機或いは遊技機等）１台毎に必ず一つ必要であった電子マネー処理モジュールを、複数の処理機器（例えば、一つの遊技島に設置される複数台の台間処理機）に対して１台設ければよくなるので、電子マネー決済システムを利用した遊技システムを低コストで提供することができると共に、遊技場に設置される従来機器のサイズを変更しなくとも電子マネー決済システムを適用することができる。
【００２０】
また、本発明によれば、決済処理を行う際の各種データと、プリペイド情報に基づく遊技媒体の貸出処理を行う際の各種データとを複数の遊技媒体貸出処理手段（台間処理機）と上位装置（島コントローラ）との間で同一の伝送路にて伝送可能にしたため、電子マネー決済システムを適用した場合の遊技システムの設備投資におけるコストを少なく抑えることができる。
【発明を実施するための最良の形態】
【００２１】
以下、本発明に係わる実施例を添付図面を参照して詳細に説明する。
【実施例１】
【００２２】
図１は、本発明を適用した遊技場における電子マネー処理システムの一構成例を示す図である。尚、この実施例では、遊技場としてパチンコ店やパチスロ店等の遊技場を例にしている。また、電子マネーカードＸ及びプリペイドカードＹの両方共に非接触式カードを採用し、両者共にフォーマットが同じものを採用した場合を例にしている。
【００２３】
図１に示すように、この遊技場における電子マネー処理システムは、遊技店Ａと、プリペイドカード管理センタＢと、電子マネー管理センタＣとから成る。
【００２４】
遊技店Ａには、台間処理機１と遊技機２からなる遊技ユニット３を複数個配置した遊技島４が設けられると共に、その遊技島４における各種遊技データ［例えば、プリペイドカードデータや、会員カードデータや、遊技機における遊技情報（出玉情報や大当たり情報など）］を上位管理装置側に中継伝送すると共に、その上位管理装置からの各種信号を遊技島４の遊技ユニット３に中継伝送する島コントローラ５と、その島コントローラ５からの各種遊技データを取得して各種遊技データの管理を行う上位管理装置となるターミナルコントローラ（Ｔ／Ｃ）６と、商品注文処理端末７とを備えて構成される。
【００２５】
尚、各遊技島４（１）〜４（ｍ）（ｍ：任意の整数）の各遊技ユニット３は、自島の島コントローラ５とＬＡＮ８等の伝送路で接続され、また、各島コントローラ５（１）〜５（ｍ）（ｍ：任意の整数）は、ターミナルコントローラ（Ｔ／Ｃ）６とＬＡＮ９等の伝送路で接続される。
【００２６】
そして、本実施例では、各遊技島４（１）〜４（ｍ）の各遊技ユニット３（１）〜３（ｎ）（ｎ：任意の整数）毎の各台間処理機１（１）〜１（ｎ）（ｎ：任意の整数）が、プリペイドカード（ＣＲカードともいう。）Ｙおよび電子マネーカード［Ｅｄｙ（登録商標）カードや、そのＥｄｙ（登録商標）カード機能を具えた会員カード等］Ｘのデータ読取り及び書込みを行う共用アンテナユニット１１と、その共用アンテナユニット１１で読取ったプリペイドカードデータの暗号解読処理を行ってプリペイドカードＹに関わる決済処理を行うプリペイドカード処理部［ＣＲブラック・ボックスモジュールともいう。］１３とを具える。
【００２７】
また、本実施例では、島コントローラ５が、共用アンテナユニット１１で読取った電子マネーカードの情報に基づき遊技媒体Ｚの貸出しや各種サービスを行う際の決済処理を実行管理する電子マネー処理部５１を具える。
【００２８】
プリペイドカード管理センタＢは、センターコンピュータＢ−１等を用いて遊技店Ａのターミナルコントローラ（Ｔ／Ｃ）６と通信を行うことで、遊技店ＡのプリペイドカードＹによる売上情報を管理する。
【００２９】
電子マネー管理センタＣは、センターコンピュータＣ−１等を用いて遊技店Ａのターミナルコントローラ（Ｔ／Ｃ）６と通信を行うことで、加盟店となる遊技店Ａからの電子マネーカードＸによる取引情報（遊技媒体Ｚの貸出しや商品の販売提供に伴い利用された電子マネーの金額情報を含む）を受信する。そして、その受信した取引情報に基づき加盟店となる遊技店Ａに対して、利用額に応じた手数料の徴収処理を行う。
【００３０】
即ち、本実施例では、従来、電子マネーカードから情報を読取るアンテナユニットが具わる台間処理機１台毎に必ず一つ必要であった電子マネー決済処理部［Ｅｄｙ（登録商標）モジュール］を、各台間処理機１台毎に一つづつ設ける構成を採らず、複数台の台間処理機１（１）〜１（ｎ）各々毎に具わる共用アンテナユニット１１複数個に対応して、各遊技島４（１）〜４（ｍ）毎にそれぞれ設置される島コントローラ５毎に、該当する島コントローラ５に具わる複数の共用アンテナユニット１１で読取られた個々の情報に基づき、それぞれ該当する台間処理機で行われる遊技媒体Ｚの貸出しに伴う決済処理或いは該当する台間処理機の後述の受付手段（電子マネー価値を用いて商品を購入する商品購入要求を受け付けるタッチパネル等）で受付けた商品購入要求に対応した商品の販売提供に伴う決済処理を並行して実行管理する電子マネー処理部５１を１つ設ける構成を採る。
【００３１】
これにより、電子マネー決済システムを利用した遊技システムを低コストで提供することができると共に、遊技場に設置される従来機器のサイズを変更しなくとも電子マネー決済システムを適用することができる。
【００３２】
図２は、上記図１に示した各台間処理機１（１）〜１（ｎ）の詳細な構成を示す図である。尚、この台間処理機１は、遊技機と遊技機との台間に配置され、各遊技機毎に１対１の関係で取り付けられ、対応する遊技機で使用する遊技媒体（パチンコ玉）Ｚの貸出し処理を行う。
【００３３】
図２に示すように、この台間処理機１は、制御部１０と、共用アンテナユニット１１と、表示・操作処理部１２と、プリペイドカード処理部１３と、遊技媒体貸出処理部１４と、作業メモリ部１５と、通信処理部１６とを具えて構成される。
【００３４】
ここで、制御部１０は、この台間処理機の他の構成要素の処理動作を制御して機器全体を統括的に制御する。基本的には、カード挿入口１１ａに挿入されたプリペイドカードＹの残高内で遊技機２で使用する遊技媒体（パチンコ玉）の貸出し処理を制御すると共に、カード挿入口１１ａに挿入された電子マネーカードＸの残高内で遊技機２で使用する遊技媒体（パチンコ玉）の貸出し処理を制御する。特に、本実施例では、例えば、共用アンテナユニット１１で読取った暗号解読前のカード情報をプリペイドカード処理部１３に受け渡す処理を制御すると共に、そのプリペイドカード処理部１３で暗号解読されなかった場合に該プリペイドカード処理部１３から解読できない旨のレスポンスがあった場合に、その暗号化カード情報に電子マネーデータを示すカード種別識別情報を付加すると共に、予め割り振られている台識別情報（台番号情報）を付加して通信処理部１６を用いて島コントローラ５に転送する処理動作を制御する。
【００３５】
共用アンテナユニット１１は、制御部１０の制御のもと、電子マネーカードＸ及びプリペイドカードＹのデータ読取り及び書込みを行う。具体的には、例えば、使用者が入金した金額情報が都度書込まれ、固有のＩＤがオフィシャルエリア（ＩＣ記録部）に書込まれている電子マネーカードＸからデータ（金額情報やＩＤ）を読取ったり、後述の島コントローラ５の電子マネー処理部５１の指示のもと、その電子マネーカードＸのデータ（金額情報）の更新書込みを行う。また、例えば、使用者がプリペイドカード発行機等でカードを購入する時に入金した金額情報や、シリアル番号が記録部（ＩＣ）に書込まれているプリペイドカードＹからデータ（金額情報やシリアル番号）を読取ったり、後述のプリペイドカード処理部１３の指示のもと、そのプリペイドカードのデータ（金額情報）の更新書込みを行う。尚、この共用アンテナユニット１１は、具体的には、アンテナとＲ／Ｆ基板等で実現される。
【００３６】
表示・操作処理部１２は、遊技客の表示・操作インタフェースを採るものとしてタッチパネル（受付手段）１２ａと接続され、制御部１０の制御のもとタッチパネル１２ａを用いて、電子マネーカードの残高情報の表示や、電子マネーカードを用いた場合の遊技媒体貸出或いは商品購入時のメニュー選択画面を表示の処理を行うと共に、そのメニュー選択画面を介して遊技客の選択指示の入力の処理を行う。
【００３７】
プリペイドカード処理部１３は、制御部１０の制御のもと、上記共用アンテナユニット１１で読取った暗号解読前のカード情報を取得し、プリペイドカード用の所定の暗号解読キーを用いて暗号解読処理を行う。そして、暗号解読処理ができた場合、即ち、取得したカード情報がプリペイドカードＹの情報であった場合には、制御部１０に解読後のカード情報（金額情報やシリアル番号を含む）を受け渡し、その後、金額情報内で遊技媒体を貸出す場合、金額情報の減算処理を行って減算により求めた金額情報を暗号化した情報をプリペイドカードＹに更新書込みする指示を共用アンテナユニット１１に向けて出力する。
【００３８】
他方、暗号解読ができない場合、即ち、取得したカード情報が電子マネーカードＸの情報である場合には、制御部１０に解読できない旨のレスポンスと共に、解読できないカード情報を返す。これにより、制御部１０が上記レスポンスを受けた場合に、プリペイドカード処理部１３で解読できなかったカード情報（金額情報やＩＤを含む）にカード種別識別情報を付加すると共に、予め割り振られている台識別情報（台番号情報）を付加して通信処理部１６を用いて島コントローラ５に転送制御する。
【００３９】
遊技媒体貸出処理部１４は、電子マネーカードＸやプリペイドカードＹの金額情報（有価価値）に基づき遊技機２で使用する遊技媒体Ｚを貸出す処理を行う。具体的には、この台間処理機機１では、対応して設置される遊技機からの玉貸出要求（遊技媒体貸出ボタン２０２の押下）に応じてカードの残高情報内でその遊技機の玉投出機構に対し遊技媒体Ｚ（パチンコ玉）の投出指示を出す。尚、これ以外にも、台間処理機が玉投出機構を有し、ノズル等を介して遊技機に遊技媒体Ｚを投出するタイプであってもよいものとする。
【００４０】
作業メモリ部１５は、この台間処理機１で計算処理する各種データを一時記憶するメモリである。
【００４１】
通信処理部１６は、ＬＡＮ８を介して、島コントローラ５との間で各種データの通信処理を行う。尚、本実施例では、この通信処理部１６を介して、電子マネーカードＸを利用した決済処理を行う際の各種データと、プリペイドカードＹを利用した遊技媒体Ｚの貸出処理を行う際の各種データとを同一の伝送路となるＬＡＮ８を用いて島コントローラ５に伝送する。これにより、電子マネー決済システムを適用した場合の遊技システムの設備投資におけるコストを少なく抑えることができる。
【００４２】
図３は、図１に示した各島コントローラ５（１）〜５（ｍ）の詳細構成を示す図である。尚、この島コントローラ５は、例えば、各遊技島の島端等に設置され、自島の各遊技ユニットの処理を制御し、自島の各遊技ユニットからの各種データを取得し、上位装置となるターミナルコントローラ（Ｔ／Ｃ）６や商品注文処理端末７への中継伝送処理を行うとともに、それら上位装置からの各種信号を遊技ユニットに中継伝送処理する。
【００４３】
図３に示すように、この島コントローラ５は、制御部５０と、電子マネー処理部５１と、作業メモリ部５２と、通信処理部５３とを具えて構成される。
【００４４】
ここで、制御部５０は、この島コントローラの他の構成要素の処理動作を制御して機器全体を統括的に制御する。尚、本実施例では、例えば、通信処理部５３の第１通信インタフェース部５３−１を介して自島の各遊技ユニット３から暗号解読後のプリペイドカードのカード情報（台識別情報が付加されている）を取得すると、第２通信インタフェース部５３−２等を用いて上位装置となるターミナルコントローラ（Ｔ／Ｃ）６に転送処理制御する。また、例えば、通信処理部５３の第１通信インタフェース部５３−１を介して自島の各遊技ユニット３から、カード種別識別情報が付加されたカード情報（台識別情報も付加されている）を取得すると、上記カード種別識別情報以外のデータ［暗号化カード情報（金額情報やＩＤ）と、台識別情報を含む］を電子マネー処理部５１に受け渡す。
【００４５】
電子マネー処理部５１は、遊技島毎に１つ備えられた島コントローラ５に１つ設けられ、その島コントローラ５が備えられた遊技島に具わる共用アンテナユニット１１複数個に対応して、複数の共用アンテナユニット１１で読取られた個々の情報に基づき、それぞれ該当する台間処理機で行われる遊技媒体Ｚの貸出しに伴う決済処理或いは該当する台間処理機のタッチパネルで受付けた商品購入要求に対応した商品の販売提供に伴う決済処理を並行して実行管理する。具体的には、制御部５０から受け取ったカード種別識別情報以外のデータ［暗号化カード情報（金額情報やＩＤ）と、台識別情報を含む］に基づき、暗号化カード情報部分に対し電子マネー用の所定の暗号解読キーを用いて暗号解読処理を行う。そして、暗号解読後の電子マネーデータに基づき該当する台間処理機との間で金額情報（残高情報）の表示処理や、電子マネーを用いた遊技媒体の貸出処理に伴う決済処理或いは商品提供に伴う決済処理を行う。尚、上記金額情報（残高情報）内で遊技媒体を貸出す、或いは商品提供を行う場合、金額情報の減算処理を行って減算により求めた金額情報を暗号化した情報を電子マネーカードＸに更新書込みする指示を共用アンテナユニット１１に出力する。
【００４６】
作業メモリ部５２は、この島コントローラ５で計算処理する各種データを一時記憶するメモリである。
【００４７】
通信処理部５３は、第１通信インタフェース部５３−１が、ＬＡＮ８を介して、自島の各遊技ユニット３からの各種情報信号を受信する通信処理を行ったり、ＬＡＮ８を介して、電子マネー処理部５１が上記金額情報（残高情報）の表示処理や決済処理で用いる各種情報信号を該当する遊技ユニット３との間で通信処理する。本実施例では、例えば、解読後のプリペイドカードデータや解読前の電子マネーカードデータを取得したり、暗号解読後の電子マネーカードデータに基づき残高情報を該当する遊技ユニット３に送信したり、該当する台間処理機の共用アンテナユニットに遊技媒体の貸出しに伴う金額情報の更新書込み指示を送信する。
【００４８】
また、第２通信インタフェース部５３−２が、ＬＡＮ９を介して、この島コントローラ５の上位装置となるターミナルコントローラ（Ｔ／Ｃ）６との間で通信処理する。本実施例では、例えば、プリペイドカードＹによる遊技媒体の貸出しに伴う売上情報や電子マネーカードＸによる遊技媒体Ｚの貸出しに伴う売上情報をターミナルコントローラ（Ｔ／Ｃ）６に送信したり、電子マネーカードＸによる商品購入に係わる商品発注情報を商品注文処理端末７に送信する。なお、第１通信インタフェース部５３−１および第２通信インタフェース部５３−２は、説明の便宜上記載したもので、実際は上記通信が１つの通信処理５３により実行される（以下、同様）。
【００４９】
図４は、図１に示したターミナルコントローラ（Ｔ／Ｃ）６の詳細な構成を示す図である。尚、このターミナルコントローラ（Ｔ／Ｃ）６は、例えば、遊技店Ａの事務所等に設置され、遊技店Ａ内の各遊技ユニット３からの各種データを取得し、各種データベースの登録管理を行う上位の管理装置である。
【００５０】
図４に示すように、このターミナルコントローラ（Ｔ／Ｃ）６は、制御部６０と、表示処理部６１と、操作処理部６２と、記憶媒体読取り／書込み部６３と、作業メモリ部６４と、記憶装置（ＨＤＤ）６５と、通信処理部６６と、更に、ディスプレイ６−１と、キーボード６−２と、マウス６−３とを具える。
【００５１】
ここで、制御部６０は、このターミナルコントローラ（Ｔ／Ｃ）６の他の構成要素の処理動作を制御して装置全体を統括的に制御する。尚、本実施例では、このターミナルコントローラ（Ｔ／Ｃ）６は、例えば、遊技店Ａ内の各遊技ユニット３からの各種データを取得し、各種データベースの登録管理処理動作を制御する。また、各島コントローラ５に具わる電子マネー処理部５１からの電子マネーによる遊技媒体の貸出に伴う売上情報を取得して各電子マネー処理部５１のモジュール番号と対応付けて売上（取引）情報の記録管理処理動作を制御すると共に、例えば、遊技店の１日の営業終了後に、上記記録管理している売上情報を該当する決済処理を行った電子マネー処理部５１のモジュール番号と関連付けた取引情報として電子マネー管理センタＣに対して通知する取引情報通知処理動作を制御する。
【００５２】
表示処理部６１は、各種情報をディスプレイ６−１に表示処理する。例えば、操作者によるキーボード６−２やマウス６−３等の所定の操作に基づき各種データベースの登録管理情報を表示したり、電子マネーによる売上情報等を表示する。
【００５３】
操作処理部６２は、操作者の操作によるキーボード６−２やマウス６−３からの入力信号を処理する。
【００５４】
記憶媒体読取り／書込み部６３は、フロッピー（登録商標）ディスクや、ＣＤ−ＲやＤＶＤ−Ｒ等の記憶媒体から情報を読み取ると共に、それら各記憶媒体に情報を書き込む機能を有する。
【００５５】
作業メモリ部６４は、このターミナルコントローラ（Ｔ／Ｃ）６における各種計算処理データを一時記憶するメモリ部である。
【００５６】
記憶装置（ＨＤ）６５は、各種処理プログラムや各種設定情報を記憶保持したり、各種データベースを格納する装置である。尚、本実施例では、例えば、電子マネーによる売上情報を記憶する。
【００５７】
通信処理部６６は、第１通信インタフェース部６６−１が、ＬＡＮ８を介して、各島コントローラ５からの各種情報を受信したり、それら各島コントローラ５に各種情報を送信処理する。また、第２通信インタフェース部６６−２が、ＬＡＮ９を介して、プリペイドカード管理センタＢや、電子マネー管理センタＣと通信網１０を介して通信を行う。尚、本実施例では、例えば、電子マネー管理センタＣに対して電子マネーによる取引情報（電子マネーによる売上情報を含む）の通信処理を行う。
【００５８】
次に、１つの遊技島４における電子マネー処理の流れについて図５を用いて説明する。尚、この図５の例では、遊技島４（１）における処理の流れを示している。
【００５９】
また、以下の説明では、台間処理機１（１）において遊技客Ａにより残高「５０００円」の電子マネーカードを用いた「５００円」分の遊技媒体（パチンコ玉）の貸出要求と、台間処理機１（ｎ）において遊技客Ｎにより残高「１０００円」の電子マネーカードを用いた「１５０円のアイスコーヒー」の購入を希望する商品発注要求とが略同タイミングで発生し、島コントローラ５（１）の電子マネー処理部５１で並行して決済処理を行う場合を例にして述べる。
【００６０】
まず、台間処理機１（１）において遊技客Ａが自己の所有する電子マネーカード（残高「５０００円」）をカード挿入口１１ａに挿入すると(ステップＳ１）、台間処理機１（１）では、共用アンテナユニット１１がカード挿入口１１ａに挿入されたカードの暗号化カードデータを読み取る(ステップＳ２）。
【００６１】
そして、台間処理機１（１）では、その読取った暗号化カードデータを制御部１０が取得し、プリペイドカード処理部１３に受け渡す。すると、プリペイドカード処理部１３が所定のプリペイドカード用の暗号解読キーを用いて暗号解読処理を行う（ステップＳ３）。
【００６２】
ところが、この場合、電子マネーカードのデータであるため、暗号解読が行えない（ステップＳ４ＮＯ）、そこで、プリペイドカード処理部１３は、暗号解読できなかった暗号化カードデータ［金額情報「５０００円」とＩＤを含む］と共に暗号解読できない旨のレスポンスを制御部１０に返す。すると、制御部１０は、その暗号化カードデータに、電子マネーカードデータを示すカード種別識別情報を付加すると共に、予め固有に割り振られている台識別情報（例えば、１番）を付加して（ステップＳ５）、それらデータを通信処理部１６を用いて島コントローラ５（１）に送出制御する（ステップＳ６）。
【００６３】
これに対し、島コントローラ５（１）は、通信処理部５３を介してデータを受信すると、制御部５０が上記カード種別識別情報以外のデータを電子マネー処理部５１に受け渡す。そして、電子マネー処理部５１が暗号化カードデータ［金額情報「５０００円」とＩＤを含む］部分に対し、所定の電子マネーカード用の暗号解読キーを用いて暗号解読処理を行う（ステップＳ１０１）。その後、島コントローラ５（１）は、電子マネー処理部５１の解読処理により認識される金額情報（残高情報ともいう）「５０００円」を制御部５０の制御のもと、該当する台間処理機１（１）に通信処理部５３を用いて送信する(ステップＳ１０２）。
【００６４】
すると、台間処理機１（１）では、通信処理部１６を介して上記金額情報「５０００円」を受信すると（ステップＳ７）、タッチパネル１２ａに残高及びメニュー選択画面の表示を行うと共に、自機に対応して設置される遊技機２（１）の残高情報表示部２０１に金額情報（残高情報）「５０００円」を表示させる(ステップＳ８）。
【００６５】
その後、遊技客Ａのメニュー選択操作を受付ける（ステップＳ９）。
【００６６】
尚、ここでの例では、遊技客Ａは残高「５０００円」内で「５００円」分の遊技媒体（パチンコ玉）の貸出要求を選択する（ステップＳ１０）。
【００６７】
すると、台間処理機１（１）では、島コントローラ５（１）に対し、「５００円」分の遊技媒体（パチンコ玉）の貸出要求を通知する（ステップＳ１１）。
【００６８】
これに対し、島コントローラ５（１）では、電子マネー処理部５１が減算処理を行う（ステップＳ１０３）。即ち、この場合、残高「５０００円」から遊技媒体貸出のため「５００円」を差し引き、減算後の残高として「４５００円」を求める。その後、電子マネー処理部５１が減算後の残高「４５００円」の金額情報を所定の電子マネーカード用の暗号化情報に基づき暗号化データとして生成し、その暗号化データを制御部５０に渡す。そして、制御部５０がその暗号化データに減算指示を付加して台間処理機１（１）に転送処理制御する（ステップＳ１０４）。
【００６９】
すると、台間処理機１（１）では、減算指示が付加された暗号化データ（金額情報「４５００円」）を受信すると（ステップＳ１４ＹＥＳ）、制御部１０が共用アンテナユニット１１に暗号化データ（金額情報「４５００円」）を渡し、共用アンテナユニット１１が挿入されている電子マネーカードの残高減算書き込み処理を行い、また、制御部１０がステップＳ１０で選択された金額分「５００円」を現在表示している残高額「５０００円」から減算する残高更新表示処理を行う（ステップＳ１５）。
【００７０】
その後、台間処理機１（１）では、ここでの処理が遊技媒体貸出時であるので（ステップＳ１６ＹＥＳ）、選択指定された金額「５００円」分の遊技媒体を貸出処理し（ステップＳ１７）、その貸出処理完了後に減算完了通知を島コントローラ５（１）に転送する（ステップＳ１８）。これにより、島コントローラ５（１）では、制御部５０の制御のもと、上位装置となるターミナルコントローラ６に対し、電子マネーカードの売上情報（この例では、「５００円」）を予め電子マネー処理部５１に固有に割り振られているモジュール番号と共に転送処理する（ステップＳ１０５）。尚、商品購入時であれば、ステップＳ１０５の処理において、上記ターミナルコントローラ６への売上情報の通知処理以外に、商品注文処理端末７に遊技客Ａにより選択された商品情報の転送処理を行う。
【００７１】
その後、台間処理機１（１）では、遊技客Ａによるカード返却ボタンの押下或いは残高内での遊技媒体の貸出要求或いは商品発注要求のいずれかが行われるのを待機する（ステップＳ１９→ステップＳ８以降）。
【００７２】
尚、ここでは、遊技客Ａによりカード返却ボタンの押下が行われたとする（ステップＳ１９ＹＥＳ）。すると、台間処理機１（１）は、現在挿入している電子マネーカードの返却処理を行って（ステップＳ２０）、カード受付け待機状態へと遷移する。
【００７３】
尚、ここでの処理の例においては、島コントローラ５（１）は、上述の台間処理機１（１）との間における電子マネー処理以外にも、台間処理機１（ｎ）との間における電子マネー処理も並行して処理する。即ち、遊技客Ｎにより、台間処理機１（ｎ）で受付けた残高「１０００円」の電子マネーカードを用いた「１５０円のアイスコーヒー」の購入に伴う決済処理も並行して行う。
【００７４】
即ち、台間処理機１（ｎ）において遊技客Ｎが自己の所有する電子マネーカード（残高「１０００円」）をカード挿入口１１ａに挿入すると(ステップＳ１）、台間処理機１（ｎ）では、共用アンテナユニット１１がカード挿入口１１ａに挿入されたカードの暗号化カードデータを読み取る(ステップＳ２）。
【００７５】
そして、台間処理機１（１）では、その読取った暗号化カードデータを制御部１０が取得し、プリペイドカード処理部１３に受け渡す。すると、プリペイドカード処理部１３が所定のプリペイドカード用の暗号解読キーを用いて暗号解読処理を行う（ステップＳ３）。
【００７６】
ところが、この場合、電子マネーカードのデータであるため、暗号解読が行えない（ステップＳ４ＮＯ）、そこで、プリペイドカード処理部１３は、暗号解読できなかった暗号化カードデータ［金額情報「１０００円」とＩＤを含む］と共に暗号解読できない旨のレスポンスを制御部１０に返す。すると、制御部１０は、その暗号化カードデータに、電子マネーカードデータを示すカード種別識別情報を付加すると共に、予め固有に割り振られている台識別情報（例えば、ｎ番）を付加して（ステップＳ５）、それらデータを通信処理部１６を用いて島コントローラ５（１）に送出制御する（ステップＳ６）。
【００７７】
これに対し、島コントローラ５（１）は、通信処理部５３を介してデータを受信すると、制御部５０が上記カード種別識別情報以外のデータを電子マネー処理部５１に受け渡す。そして、電子マネー処理部５１が暗号化カードデータ［金額情報「１０００円」とＩＤを含む］部分に対し、所定の電子マネーカード用の暗号解読キーを用いて暗号解読処理を行う（ステップＳｎ０１）。その後、島コントローラ５（１）は、電子マネー処理部５１の解読処理により認識される金額情報（残高情報ともいう）「１０００円」を制御部５０の制御のもと、該当する台間処理機１（１）に通信処理部５３を用いて送信する(ステップＳｎ０２）。
【００７８】
すると、台間処理機１（ｎ）では、通信処理部１６を介して上記金額情報「１０００円」を受信すると（ステップＳ７）、タッチパネル１２ａに残高及びメニュー選択画面の表示を行うと共に、自機に対応して設置される遊技機２（ｎ）の残高情報表示部２０１に金額情報（残高情報）「１０００円」を表示させる(ステップＳ８）。
【００７９】
その後、遊技客Ａのメニュー選択操作を受付ける（ステップＳ９）。
【００８０】
尚、この場合、遊技客Ｎは残高「１０００円」内で「１５０円のアイスコーヒー」の商品発注を選択する（ステップＳ１２）。
【００８１】
すると、台間処理機１（ｎ）では、島コントローラ５（１）に対し、「１５０円のアイスコーヒー」の商品発注要求を通知する（ステップＳ１３）。
【００８２】
これに対し、島コントローラ５（１）では、電子マネー処理部５１が減算処理を行う（ステップＳｎ０３）。即ち、この場合、残高「１０００円」から「１５０円のアイスコーヒー」を販売するため「１５０円」を差し引き、減算後の残高として「８５０円」を求める。その後、電子マネー処理部５１が減算後の残高「８５０円」の金額情報を所定の暗号化情報に基づき暗号化データとして生成し、その暗号化データを制御部５０に渡す。そして、制御部５０がその暗号化データに減算指示を付加して台間処理機１（ｎ）に転送処理制御する（ステップＳｎ０４）。
【００８３】
すると、台間処理機１（ｎ）では、減算指示が付加された暗号化データ（金額情報「８５０円」）を受信すると（ステップＳ１４ＹＥＳ）、制御部１０が共用アンテナユニット１１に暗号化データ（金額情報「８５０円」）を渡し、共用アンテナユニット１１が挿入されている電子マネーカードの残高減算書き込み処理を行い、また、制御部１０がステップＳ１２で選択された商品（１５０円のアイスコーヒー）の金額分「１５０円」を現在表示している残高額「１０００円」から減算する残高更新表示処理を行う（ステップＳ１５）。
【００８４】
その後、台間処理機１（ｎ）では、ここでの処理では遊技媒体貸出時でないので（ステップＳ１６ＮＯ）、減算完了通知を島コントローラ５（１）に転送する（ステップＳ１８）。これにより、島コントローラ５（１）では、制御部５０の制御のもと、上位装置となるターミナルコントローラ６に対し、電子マネーカードの売上情報（この例では、「１５０円」）を予め電子マネー処理部５１に固有に割り振られているモジュール番号と共に転送処理する。また、この場合、商品購入時であるので、上記ターミナルコントローラ６への売上情報の通知処理以外に、商品注文処理端末７に遊技客Ｎにより選択された商品情報（１５０円のアイスコーヒー）の転送処理を行う（ステップＳｎ０５）。
【００８５】
その後、台間処理機１（ｎ）では、遊技客Ｎによるカード返却ボタンの押下或いは残高内での遊技媒体の貸出要求或いは商品発注要求のいずれかが行われるのを待機する（ステップＳ１９→ステップＳ８以降）。
【００８６】
尚、ここで、遊技客Ｎによりカード返却ボタンの押下が行われたとする（ステップＳ１９ＹＥＳ）。すると、台間処理機１（ｎ）は、現在挿入している電子マネーカードの返却処理を行って（ステップＳ２０）、カード受付け待機状態へと遷移する。
【００８７】
このように、島コントローラ５（１）に設けられた電子マネー処理部５１は、その島コントローラ５（１）が具わる遊技島４（１）の複数の台間処理機１（１）〜台間処理機１（ｎ）毎に具わる共用アンテナユニット１１ａ複数個に対応して、それら複数個の共用アンテナユニット１１ａで受付けられた電子マネーカードの金額情報個別にそれぞれ該当する台間処理機で行われる遊技媒体の貸出に伴う決済処理或いは該当する台間処理機のタッチパネルで受付けられた商品発注に応じた商品の提供に伴う決済処理を並行して実行管理する。
【００８８】
尚、上記処理において、ターミナルコントローラ（Ｔ／Ｃ）６は、例えば、遊技店Ａの１日の営業が終了した場合に、１日当たりの電子マネーによる売上情報を各電子マネー処理部のモジュール番号と共に電子マネー管理センタＣに通信網９を介して取引情報として通知する。
【００８９】
これにより、電子マネーカード管理センタＣは、センターコンピュータＣ−１等を用いて取引情報を受信すると、その受信した取引情報に基づき加盟店となる遊技店Ａに対して、利用額に応じた手数料の徴収処理を行う。
【００９０】
尚、上記［実施例１］では、電子マネーカードＸとプリペイドカードＹの両方共に同一のフォーマットのものを採用した場合を例に示したが、以下、それら両カードが異なるフォーマットのものを採用した［実施例２］について説明する。
【実施例２】
【００９１】
図６は、上記図１に示した遊技場における電子マネー処理システムの変形例を示す図であり、図７は、上記図２に示した台間処理機の変形例を示す図である。
【００９２】
これら図６乃至図７において、［実施例１］との相違点は、台間処理機の構成及び処理動作が異なる。
【００９３】
即ち、図７に示すように、この台間処理機１（１）〜１（ｎ）では、上記［実施例１］の図２に示したカード挿入口１１ａに代えて電子マネーカード用カード挿入口１７ａおよびプリペイドカード用カード挿入口１８ｂを設けるとともに、図２に示した共用アンテナユニット１１に代えてプリペイドカード用アンテナユニット１７と電子マネーカード用アンテナユニット１８を設ける。この構成上の相違に伴い、制御部１０およびプリペイドカード処理部１３の処理動作が異なる。
【００９４】
つまり、制御部１０は、プリペイドカード用カード挿入口１８ｂに挿入されたプリペイドカードＹの残高内で遊技機２で使用する遊技媒体（パチンコ玉）の貸出し処理を制御すると共に、電子マネーカード用カード挿入口１７ａに挿入された電子マネーカードＸの残高内で遊技機２で使用する遊技媒体（パチンコ玉）の貸出し処理を制御する。特に、本実施例では、例えば、ポート情報等に基づきプリペイドカード用アンテナユニット１８で読取った暗号解読前のカード情報をプリペイドカード処理部１３に受け渡す処理を制御すると共に、そのプリペイドカード処理部１３で暗号解読されたカード情報を通信インタフェース部１６等を用いて島コントローラ５に転送処理制御する。
【００９５】
また、例えば、ポート情報等に基づき電子マネーカード用アンテナユニット１８で読取った暗号解読前のカード情報に電子マネーデータを示す識別情報を付加して通信インタフェース部１６等を用いて島コントローラ５に転送処理制御する。尚、島コントローラ５にカード情報を転送する場合、自己に予め固有に割り当てられている台番号情報を用いて通信を行う。
【００９６】
プリペイドカード用アンテナユニット１８は、プリペイドカードＹのデータ読取り及び書込みを行う。具体的には、例えば、使用者がプリペイドカード発行機等でカードを購入する時に入金した金額情報や、シリアル番号が記録部（ＩＣ）に書込まれているプリペイドカードからデータ（金額情報やシリアル番号）を読取ったり、後述のプリペイドカード処理部１３の指示のもと、そのプリペイドカードのデータ（金額情報）の更新書込みを行う。尚、このプリペイドカード用アンテナユニット１８は、具体的には、アンテナとＲ／Ｆ基板等で実現される。
【００９７】
電子マネーカード用アンテナユニット１７は、電子マネーカードのデータ読取り及び書込みを行う。具体的には、例えば、使用者が入金した金額情報が都度書込まれ、固有のＩＤがオフィシャルエリア（ＩＣ記録部）に書込まれている電子マネーカードからデータ（金額情報やＩＤ）を読取ったり、島コントローラ５の電子マネー処理部５１の指示のもと、その電子マネーカードのデータ（金額情報）の更新書込みを行う。尚、この電子マネーカード用アンテナユニット１７は、具体的には、アンテナとＲ／Ｆ基板等で実現される。
【００９８】
プリペイドカード処理部１３は、制御部１０の制御のもと、上記プリペイドカード用アンテナユニット１８で読取った暗号解読前のカード情報（金額情報やシリアル番号を含む）を取得し、プリペイドカード用の所定の暗号解読キーを用いて暗号解読処理を行う。そして、暗号解読処理ができたならば制御部１０に解読後のカード情報（金額情報やシリアル番号を含む）を受け渡す。また、その後、金額情報内で遊技媒体を貸出す場合、金額情報の減算処理を行って減算により求めた金額情報を暗号化した情報をプリペイドカードＹに更新書込みする指示をプリペイドカード用アンテナユニット１８に出す。その他の構成は図２に示した構成と同様である。
【００９９】
次に、上記構成において、遊技者が電子マネーカードＸを用いて遊技媒体Ｚを貸出してもらい遊技を行う場合の遊技場における電子マネー処理の流れについて図８を用いて説明する。尚、図８において、図５に示した処理と同様の処理を行う部分には説明の便宜上図５で用いたと同じステップ番号を付してその詳細説明を省略する。
【０１００】
図８において、まず、遊技者が自己の所有する電子マネーカードＸを所望する遊技ユニット３の台間処理機１の電子マネーカード用カード挿入口１７ａに挿入する(ステップＳ１）。
【０１０１】
すると、台間処理機１では、電子マネーカード用アンテナユニット１７が電子マネーカード用カード挿入口１７ａに挿入されたカードの暗号化カードデータを読み取る(ステップＳ２）。
【０１０２】
そして、台間処理機１では、その読取った暗号化カードデータを制御部１０が取得し、例えば、電子マネーカード用アンテナユニット１７側を示すポート情報等に基づき、取得した暗号化カードデータに電子マネーのデータであることを示すカード種別識別情報を付加すると共に、予め固有に割り振られている台識別情報（台番号情報等）を付加する(ステップＳ３）。
【０１０３】
その後、台間処理機１では、制御部１０の制御のもと、上記カード種別識別情報及び台識別情報を付加した暗号化カードデータを通信インタフェース部１６を用いて島コントローラ５側に送出する(ステップＳ６）。以後の処理は、図５に示した処理と同様である。
【０１０４】
尚、上記［実施例１］及び［実施例２］の両方共に、台間処理機としては、電子マネーカードの金額情報に基づき遊技媒体の貸出処理および商品発注処理を行うものを示したが、これに限らず、商品発注機能を備えず、電子マネーカードの金額情報に基づき遊技媒体の貸出処理のみ行うものとしてもよいものとする。
【０１０５】
また、上記［実施例１］及び［実施例２］の両方共に、遊技機としてパチンコ台を例にして示したため、台間処理機としては、玉貸出処理機を例に示したが、遊技機がスロット台の場合には、メダル貸出処理機となる。
【０１０６】
また、上記［実施例１］及び［実施例２］の両方共に、遊技店としてパチンコ店及びパチスロ店を例にして示したが、これ以外に、例えば、ゲームセンター等の遊技店に本発明を適用してもよい。
【０１０７】
また、上記［実施例１］及び［実施例２］の両方共に、電子マネー機能のみを有する電子マネーカードを例にして示したが、これ以外にも、例えば、遊技店内で用いられる会員カード等に電子マネー機能を組込んだ電子マネーカードを使用できるようにしてもよい。尚、その場合には、台間処理機として、会員カードのＩＤに対応付けて管理している会員登録者の貯玉や貯メダル情報に基づいて遊技機で遊技媒体を貸出す機能を有する再プレイユニットを採用し、その再プレイユニットに、会員カードの貯玉或いは電子マネーのいずれを用いて遊技を行うかを遊技者に選択させる操作ボタン等を新たに設ける。
【０１０８】
また、上記［実施例１］及び［実施例２］の両方共に、電子マネー価値情報記録媒体の一つとして、カード状の電子マネーカードを示したが、これ以外の形状であってもよい。
【０１０９】
また、上記［実施例１］及び［実施例２］の両方共に、カードＩＤ以外に、金額情報（残高情報）を記憶する電子マネーカードを使用する場合の構成を示したが、本発明は、これ以外に、金額情報（残高情報）を記憶せずにカードＩＤのみを記憶する電子マネーカードを採用し、電子マネー管理センタ側でカードＩＤに対応付けて金額情報（残高情報）を記憶管理する形態に適用してもよい。
【０１１０】
即ち、この場合、電子マネーカードは、金額情報（残高情報）を記憶しないので、アンテナユニットの機能構成としては、情報の書込み機能は備えず、情報の読み込み機能だけ持っているものでよい。
【０１１１】
そして、電子マネー処理部の機能構成としては、上述のような識別情報付加等の方法により取得した電子マネーカードのカード情報（カードＩＤ）を島コントローラ及びターミナルコントローラ（Ｔ／Ｃ）等を介して電子マネー管理センタ側に通知する。次いで、島コントローラ及びターミナルコントローラ（Ｔ／Ｃ）等を介して電子マネー管理センタから当該カードＩＤに対応付けて記憶管理している金額情報（残高情報）を受取ると、該当する遊技ユニットにおいて金額情報（残高情報）の表示処理を指示する。次いで、遊技者によって金額情報（残高情報）内での遊技媒体の貸出要求或いは商品購入要求があった場合、再度、島コントローラ及びターミナルコントローラ（Ｔ／Ｃ）等を介して電子マネー管理センタに貸出す遊技媒体の金額情報或いは販売する商品の金額情報を該当するカードＩＤと共に通知する。次いで、島コントローラ及びターミナルコントローラ（Ｔ／Ｃ）等を介して電子マネー管理センタから該当するカードＩＤに対応付けて記憶管理している金額情報（残高情報）の減算処理が完了した旨の通知を受取ると、該当する遊技ユニットに対し遊技媒体の貸出実行を指示したり、商品購入要求を受領し商品を従業員が提供する旨の表示指示を行う。
【０１１２】
また、上記［実施例１］及び［実施例２］の両方共に、遊技ユニットとして、遊技機と台間処理機が別筐体の機器を備えたものと説明したが、これ以外に、遊技ユニットとして、遊技機と台間処理機が１つの筐体で実現されてもよい。
【０１１３】
また、台間処理機にアンテナユニットを備える構成を示したが、遊技機にアンテナユニットを備える構成にしてもよい。
【０１１４】
また、上記実施例のように台間処理機において、共用アンテナユニットで読取ったカード情報を制御部に一旦上げてからプリペイドカード処理部に渡し、そして、プリペイドカード処理部から制御部に渡して島コントローラに転送する構成以外に、例えば、台間処理機において、共用アンテナユニットで読取ったカード情報を制御部を介さずプリペイドカード処理部にすぐ入力するようにし、このプリペイドカード処理部でプリペイドカード用の所定の暗号キーを用いて暗号解読処理を行い、そして、暗号解読処理ができた場合にプリペイドカード処理を行い、他方、暗号解読処理ができなかった場合に電子マネーカードデータであることを示す識別情報を付加して制御部にあげ、その制御部から通信インタフェースを用いて島コントローラに転送するように構成してもよい。
【０１１５】
尚、上記実施例に述べたプリペイドカードとしては、上述のような非接触タイプのＩＣカードではなく、磁気カード等を採用してもよい。
【図面の簡単な説明】
【０１１６】
【図１】本発明を適用した遊技場における電子マネー処理システムの一構成例を示す図である。
【図２】図１に示した各台間処理機の詳細な構成を示す図である。
【図３】図１に示した各島コントローラの詳細構成を示す図である。
【図４】図１に示したターミナルコントローラの詳細な構成を示す図である。
【図５】図１に示す遊技場における電子マネー処理の流れを示す図である。
【図６】図１に示した遊技場における電子マネー処理システムの変形例を示す図である。
【図７】図２に示した台間処理機の変形例を示す図である。
【図８】図６に示す遊技場における電子マネー処理の流れを示す図である。
【符号の説明】
【０１１７】
Ａ…遊技店
Ｂ…プリペイドカード管理センタ
Ｃ…電子マネー管理センタ
１…台間処理機
２…遊技機
３…遊技ユニット
４…遊技島
５…島コントローラ
６…ターミナルコントローラ（Ｔ／Ｃ）
７，８…ＬＡＮ
９…通信網
１０…制御部
１１…共用アンテナユニット
１１ａ…カード挿入口
１２…表示・操作処理部
１３…プリペイドカード処理部
１４…遊技媒体貸出処理部
１５…作業メモリ部
１６…通信インタフェース部
１７…電子マネーカード用アンテナユニット
１７ａ…電子マネーカード用カード挿入口
１８…プリペイドカード用アンテナユニット
１８ａ…プリペイドカード用カード挿入口
５０…制御部
５１…電子マネー処理部
５２…作業メモリ部
５３…通信処理部
５３−１…第１通信インタフェース部
５３−２…第２通信インタフェース部
６０…制御部
６１…表示処理部
６２…操作処理部
６３…記憶媒体読取り／書込み部
６４…作業メモリ部
６５…記憶装置
６６…通信処理部
６６−１…第１通信インタフェース部
６６−２…第２通信インタフェース部
６−１…ディスプレイ
６−２…キーボード
６−３…マウス
【図１】
2005107734.tif 000003
【図２】
2005107734.tif 000004
【図３】
2005107734.tif 000005
【図４】
2005107734.tif 000006
【図５】
2005107734.tif 000007
【図６】
2005107734.tif 000008
【図７】
2005107734.tif 000009
【図８】
2005107734.tif 000010